(57)【特許請求の範囲】
【請求項１】
Ｉｃｈ及びＱｃｈベースバンド信号の位相情報を生成して記憶する第１記憶手段と、前記位相情報を１シンボル周期遅延させた後に現時点の位相情報から減算して求めた１シンボル遅延検波信号が第１エラーパルス発生領域に一致した際に第１エラーパルスを出力する第１一致検出手段と、前記位相情報を２シンボル周期遅延させた後に現時点の位相情報から減算して求めた２シンボル遅延検波信号が第２エラーパルス発生領域に一致した際に第２エラーパルスを出力する第２一致検出手段と、前記第１及び第２エラーパルスの論理積演算を行い、この演算結果に応じて前記Ｉｃｈ及びＱｃｈベースバンド信号の誤りを示す第３エラーパルスを出力する論理積手段と、第３エラーパルスをカウントするカウント手段と、を具備することを特徴とする回線品質推定装置。
【請求項２】
Ｉｃｈ及びＱｃｈベースバンド信号の包絡線情報を生成して記憶する第２記憶手段と、前記包絡線情報と包絡線の基準値との差の絶対値を検出する絶対値検出手段と、前記絶対値が、前記包絡線情報の誤りを検出するための第１しきい値を越えた際に包絡線情報が誤りであると判定し、この判定に対応するレベル信号を出力する第１判定手段とを備え、論理積手段が、第１及び第２エラーパルスに前記レベル信号を含めた論理積演算結果に応じて第３エラーパルスをカウント手段へ出力することを特徴とする請求項１記載の回線品質推定装置。
【請求項３】
カウント手段のエラーパルス数を示すカウント値と、エラーパルス数のバラツキを適正値に押さえるための第２しきい値との差から、前記カウント値が前記第２しきい値を越えたか否かを判定する第２判定手段と、この第２判定手段の判定結果に応じて、前記カウント値が適正値となるように第１エラーパルス発生領域を可変する第１制御手段と、を具備することを特徴とする請求項１又は請求項２記載の回線品質推定装置。
【請求項４】
第１制御手段は、第２判定手段の判定結果が、カウント値が第２しきい値を越えたことを示す場合に、第１エラーパルス発生領域を狭くする制御を行うことを特徴とする請求項３記載の回線品質推定装置。
【請求項５】
第２判定手段の判定結果に応じて、カウント値が適正値となるように第２エラーパルス発生領域を可変する第２制御手段、を具備することを特徴とする請求項３又は請求項４に記載の回線品質推定装置。
【請求項６】
第２制御手段は、第２判定手段の判定結果が、カウント値が第２しきい値を越えたことを示す場合に、第２エラーパルス発生領域を狭くする制御を行うことを特徴とする請求項５記載の回線品質推定装置。
【請求項７】
第２判定手段の判定結果に応じて、カウント値が適正値となるように、第１判定手段が包絡線情報の誤りを判定するために用いる第１しきい値を可変する第３制御手段、を具備することを特徴とする請求項３乃至請求項６のいずれかに記載の回線品質推定装置。
【請求項８】
第３制御手段は、第２判定手段の判定結果が、カウント値が第２しきい値を越えたことを示す場合に、第１しきい値で示される包絡線情報の誤りを検出する値を大きくすることを特徴とする請求項７記載の回線品質推定装置。
【請求項９】
１シンボル遅延検波信号が第１エラーパルス発生領域よりも狭い第３エラーパルス発生領域に一致した際に第４エラーパルスを出力する第３一致検出手段と、第３エラーパルスと前記第４エラーパルスとの論理和演算を行い、この結果得られるエラーパルスをカウント手段へ出力する論理和手段と、を具備することを特徴とする請求項２記載の回線品質推定装置。
【請求項１０】
２シンボル遅延検波信号が第２エラーパルス発生領域よりも狭い第４エラーパルス発生領域に一致した際に第５エラーパルスを出力する第４一致検出手段を備え、前記論理和手段が、第３及び第４エラーパルスと前記第５エラーパルスとの論理和演算を行い、この結果得られるエラーパルスをカウント手段へ出力することを特徴とする請求項９記載の回線品質推定装置。
【請求項１１】
絶対値検出手段で検出された包絡線情報と包絡線の基準値との差の絶対値が、前記包絡線情報の誤りを検出するための第１しきい値よりも小さい第３しきい値を越えた際に包絡線情報が誤りであると判定し、この判定に対応するレベル信号を出力する第３判定手段を備え、論理和手段が、第３〜第５エラーパルスと前記レベル信号との論理和演算を行い、この結果得られるエラーパルスをカウント手段へ出力することを特徴とする請求項１０記載の回線品質推定装置。
【請求項１２】
第１記憶手段に代え、Ｉｃｈ及びＱｃｈベースバンド信号の絶対値を検出するＩｃｈ及びＱｃｈ絶対値検出手段と、前記Ｉｃｈ及びＱｃｈベースバンド信号の象限を判定する象限判定手段と、前記判定により求められた象限に応じて、前記検出されたＩｃｈ及びＱｃｈ絶対値信号を位相情報に変換する変換手段とを備えて構成される位相情報生成手段、を具備することを特徴とする請求項１乃至請求項１１のいずれかに記載の回線品質推定装置。
【請求項１３】
第２記憶手段に代え、Ｉｃｈ及びＱｃｈベースバンド信号の絶対値を比較し、大きい方の信号を示す大小比較結果信号を出力する大小比較手段と、前記大小比較結果信号をＭ及びＮビットシフトするシフト手段と、前記Ｍ及びＮビットシフトされた信号を加算する第１加算手段と、この第１加算手段の加算結果と前記大小比較結果信号とを加算して包絡線情報を得る第２加算手段とを備えて構成される包絡線情報生成手段、を具備することを特徴とする請求項２乃至請求項１２のいずれかに記載の回線品質推定装置。
【請求項１４】
請求項１乃至請求項１３のいずれかに記載の回線品質推定装置を用いたことを特徴とする基地局装置。
【請求項１５】
請求項１乃至請求項１３のいずれかに記載の回線品質推定装置を用いたことを特徴とする移動局装置。
【請求項１６】
請求項１乃至請求項１３のいずれかに記載の回線品質推定装置を、基地局装置又は移動局装置に用いたことを特徴とする移動体通信システム。
【請求項１７】
Ｉｃｈ及びＱｃｈベースバンド信号の位相情報を１及び２シンボル周期遅延させた後に現時点の位相情報から減算して求めた１及び２シンボル遅延検波信号が第１及び第２エラーパルス発生領域に一致した際に双方のエラーパルスを出力し、前記双方のエラーパルスの論理積演算結果に応じて前記Ｉｃｈ及びＱｃｈベースバンド信号の誤りを示すエラーパルスをカウントすることを特徴とする回線品質推定方法。
【請求項１８】
Ｉｃｈ及びＱｃｈベースバンド信号の位相情報を記憶し、この記憶された位相情報を１シンボル周期遅延させた後に現時点の位相情報から減算して求めた１シンボル遅延検波信号が第１エラーパルス発生領域に一致した際に第１エラーパルスを出力し、前記記憶された位相情報を２シンボル周期遅延させた後に現時点の位相情報から減算して求めた２シンボル遅延検波信号が第２エラーパルス発生領域に一致した際に第２エラーパルスを出力し、前記第１及び第２エラーパルスの論理積演算を行って得た前記Ｉｃｈ及びＱｃｈベースバンド信号の誤りを示す第３エラーパルスを、カウントすることを特徴とする回線品質推定方法。
【請求項１９】
Ｉｃｈ及びＱｃｈベースバンド信号の包絡線情報を記憶し、この記憶された包絡線情報と包絡線の基準値との差の絶対値を検出し、この検出された絶対値が、包絡線情報の誤りを検出するための第１しきい値を越えた際に包絡線情報が誤りであると判定し、この第１の判定結果を第１及び第２エラーパルスに含めた論理積演算を行って得た第３エラーパルスをカウントすることを特徴とする請求項１８記載の回線品質推定方法。
【請求項２０】
カウント手段のエラーパルス数を示すカウント値と、エラーパルス数のバラツキを適正値に押さえるための第２しきい値との差から、前記カウント値が前記第２しきい値を越えたか否かを判定し、この第２の判定結果に応じて、前記カウント値が適正値となるように第１エラーパルス発生領域を可変することを特徴とする請求項１８又は請求項１９記載の回線品質推定方法。
【請求項２１】
第２の判定結果が、カウント値が第２しきい値を越えたことを示す場合に、第１エラーパルス発生領域を狭くすることを特徴とする請求項２０記載の回線品質推定方法。
【請求項２２】
第２の判定結果に応じて、前記カウント値が適正値となるように第２エラーパルス発生領域を可変することを特徴とする請求項１９乃至請求項２１のいずれかに記載の回線品質推定方法。
【請求項２３】
第２の判定結果が、カウント値が第２しきい値を越えたことを示す場合に、第２エラーパルス発生領域を狭くすることを特徴とする請求項２２記載の回線品質推定方法。
【請求項２４】
第２の判定結果に応じて、カウント値が適正値となるように、包絡線情報の誤りを判定するために用いる第１しきい値を可変することを特徴とする請求項１９乃至請求項２３のいずれかに記載の回線品質推定方法。
【請求項２５】
第２の判定結果が、カウント値が第２しきい値を越えたことを示す場合に、第１しきい値で示される包絡線情報の誤りを検出する値を大きくすることを特徴とする請求項２４記載の回線品質推定方法。
【請求項２６】
１シンボル遅延検波信号が第１エラーパルス発生領域よりも狭い第３エラーパルス発生領域に一致した際に第４エラーパルスを出力し、前記第３エラーパルスと前記第４エラーパルスとの論理和演算を行い、この結果得られるエラーパルスをカウントすることを特徴とする請求項１９記載の回線品質推定方法。
【請求項２７】
２シンボル遅延検波信号が第２エラーパルス発生領域よりも狭い第４エラーパルス発生領域に一致した際に第５エラーパルスを出力し、第３及び第４エラーパルスと前記第５エラーパルスとの論理和演算を行い、この結果得られるエラーパルスをカウントすることを特徴とする請求項２６記載の回線品質推定方法。
【請求項２８】
絶対値検出手段で検出された包絡線情報と包絡線の基準値との差の絶対値が、前記包絡線情報の誤りを検出するための第１しきい値よりも小さい第３しきい値を越えた際に包絡線情報が誤りであると判定し、この判定に対応するレベル信号と第３〜第５エラーパルスとの論理和演算を行い、この結果得られるエラーパルスをカウントすることを特徴とする請求項２７記載の回線品質推定方法。
【発明の詳細な説明】
【０００１】
【発明の属する技術分野】
本発明はディジタル移動体通信等の無線受信機系に適用される回線品質推定装置及びその方法に関する。
【０００２】
【従来の技術】
従来、回線品質推定装置において、受信信号の各バースト間におけるエラーパルスをカウントすることにより、回線品質推定を行っている。
【０００３】
図１３は、従来の回線品質推定装置のブロック図を示す。この図１３に示す回線品質推定装置は、メモリ回路１３０１と、遅延器１３０２と、減算器１３０３と、一致検出器１３０４と、カウンタ１３０５とを備えて構成されている。
【０００４】
メモリ回路１３０１は、Ｉチャネルのベースバンド信号（以下、Ｉｃｈベースバンド信号）１３０６及びＱチャネルのベースバンド信号（以下、Ｑｃｈベースバンド信号）１３０７のアークタンジェント（ａｒｃｔａｎ）を計算することにより得られた位相情報を記憶し、この記憶された位相情報１３０８を遅延器１３０２及び減算器１３０３へ出力する。
【０００５】
遅延器１３０２は、位相情報１３０８を１シンボル周期遅延し、この遅延位相情報１３０９を減算器１３０３へ出力する。減算器１３０３は、現時点の位相情報１３０８から１シンボル前の遅延位相情報１３０９を減算することによって遅延検波信号１３１０を求め、この遅延検波信号１３１０を一致検出器１３０４へ出力する。
【０００６】
一致検出器１３０４は、遅延検波信号１３１０とエラーパルス発生領域を表すエラーパルス発生領域表示信号ＲＥＦ１とを比較し、双方が一致した場合にエラーパルス１３１２を発生し、カウンタ１３０５へ出力する。
【０００７】
カウンタ１３０５は、エラーパルス１３１２から、受信信号の１バースト間においてエラーパルス数をカウントすることによって、エラーパルスのカウント値１３１３を得る。
【０００８】
【発明が解決しようとする課題】
しかし、上記した従来の回線品質推定装置においては、遅延検波信号１３１０とエラーパルス発生領域を表すエラーパルス発生領域表示信号ＲＥＦ１と一致した場合にエラーパルス１３１２を発生させてカウントするが、これは、エラーパルス発生領域に応じて、誤った信号と誤っていない信号との双方が存在する位相の第１しきい値にある信号をカウントするため、実際に誤っていない信号もカウントしてしまう。このため、各バースト間においてエラーパルスのカウント数にバラツキが生じ、回線品質推定精度が低下することになる。
【０００９】
本発明は、受信信号の各バースト間におけるエラーパルスのカウント数のバラツキを低減することにより、高精度な回線品質推定を行うことができる回線品質推定装置及びその方法を提供することを目的とする。
【００１０】
【課題を解決するための手段】
本発明は、上記課題を解決するため、以下の構成とした。
【００１３】
請求項１記載の回線品質推定装置は、Ｉｃｈ及びＱｃｈベースバンド信号の位相情報を生成して記憶する第１記憶手段と、前記位相情報を１シンボル周期遅延させた後に現時点の位相情報から減算して求めた１シンボル遅延検波信号が第１エラーパルス発生領域に一致した際に第１エラーパルスを出力する第１一致検出手段と、前記位相情報を２シンボル周期遅延させた後に現時点の位相情報から減算して求めた２シンボル遅延検波信号が第２エラーパルス発生領域に一致した際に第２エラーパルスを出力する第２一致検出手段と、前記第１及び第２エラーパルスの論理積演算を行い、この演算結果に応じて前記Ｉｃｈ及びＱｃｈベースバンド信号の誤りを示す第３エラーパルスを出力する論理積手段と、第３エラーパルスをカウントするカウント手段と、を具備する構成とした。
【００１４】
この構成により、Ｉｃｈ及びＱｃｈベースバンド信号のエラーパルスの検出領域に存在する正しい信号がカウントされる比率が減少するので、エラーパルスの最大カウント数と最小カウント数との差である各バースト間のエラーパルスカウント数のバラツキを低減することができ、これによって、高精度な回線品質推定を行うことができる。
【００１５】
また、請求項２記載の回線品質推定装置は、請求項１記載の回線品質推定装置において、Ｉｃｈ及びＱｃｈベースバンド信号の包絡線情報を生成して記憶する第２記憶手段と、前記包絡線情報と包絡線の基準値との差の絶対値を検出する絶対値検出手段と、前記絶対値が、前記包絡線情報の誤りを検出するための第１しきい値を越えた際に包絡線情報が誤りであると判定し、この判定に対応するレベル信号を出力する第１判定手段とを備え、論理積手段が、第１及び第２エラーパルスに前記レベル信号を含めた論理積演算結果に応じて第３エラーパルスをカウント手段へ出力する構成とした。
【００１６】
この構成により、論理積手段が、包絡線情報が誤りであることを示すレベル信号が供給されている間のみ、第１及び第２エラーパルスが供給されると、第３エラーパルスをカウント手段へ出力する。つまり、論理積手段は、包絡線情報が正しいことを示すレベル信号が供給されている間は、第１及び第２エラーパルスが供給されても、第３エラーパルスをカウント手段へ出力しないので、これによって、Ｉｃｈ及びＱｃｈベースバンド信号のエラーパルスの検出領域に存在する正しい信号が論理積手段を通過してカウントされる比率が減少し、各バースト間のエラーパルスカウント数のバラツキを更に低減することができ、これによって、より高精度な回線品質推定を行うことができる。
【００１７】
また、請求項３記載の回線品質推定装置は、請求項１又は請求項２記載の回線品質推定装置において、カウント手段のエラーパルス数を示すカウント値と、エラーパルス数のバラツキを適正値に押さえるための第２しきい値との差から、前記カウント値が前記第２しきい値を越えたか否かを判定する第２判定手段と、この第２判定手段の判定結果に応じて、前記カウント値が適正値となるように第１エラーパルス発生領域を可変する第１制御手段と、を具備する構成とした。
【００１８】
この構成により、各バースト間のエラーパルスカウント数のバラツキを更に低減することができ、これによって、より高精度な回線品質推定を行うことができる。
【００１９】
また、請求項４記載の回線品質推定装置は、請求項３記載の回線品質推定装置において、第１制御手段は、第２判定手段の判定結果が、カウント値が第２しきい値を越えたことを示す場合に、第１エラーパルス発生領域を狭くする制御を行う構成とした。
【００２０】
この構成により、カウント値が第２しきい値を越えたことを示す場合、第１エラーパルス発生領域に存在する正しい信号がカウントされる比率が減少するので、現在のエラーパルス数が多くて不適正となっているカウント値が適正値となる。
【００２１】
また、請求項５記載の回線品質推定装置は、請求項３又は請求項４のいずれかに記載の回線品質推定装置において、第２判定手段の判定結果に応じて、カウント値が適正値となるように第２エラーパルス発生領域を可変する第２制御手段、を具備する構成とした。
【００２２】
この構成により、各バースト間のエラーパルスカウント数のバラツキを更に低減することができ、これによって、より高精度な回線品質推定を行うことができる。
【００２３】
また、請求項６記載の回線品質推定装置は、請求項５記載の回線品質推定装置において、第２制御手段は、第２判定手段の判定結果が、カウント値が第２しきい値を越えたことを示す場合に、第２エラーパルス発生領域を狭くする制御を行う構成とした。
【００２４】
この構成により、カウント値が第２しきい値を越えたことを示す場合、第２エラーパルス発生領域に存在する正しい信号がカウントされる比率が減少するので、現在のエラーパルス数が多くて不適正となっているカウント値が適正値となる。
【００２５】
また、請求項７記載の回線品質推定装置は、請求項３乃至請求項６のいずれかに記載の回線品質推定装置において、第２判定手段の判定結果に応じて、カウント値が適正値となるように、第１判定手段が包絡線情報の誤りを判定するために用いる第１しきい値を可変する第３制御手段、を具備する構成とした。
【００２６】
この構成により、包絡線情報の誤りを検出するための第１しきい値が可変されるので、各バースト間のエラーパルスカウント数のバラツキを更に低減することができ、これによって、更に高精度な回線品質推定を行うことができる。
【００２７】
また、請求項８記載の回線品質推定装置は、請求項７記載の回線品質推定装置において、第３制御手段は、第２判定手段の判定結果が、カウント値が第２しきい値を越えたことを示す場合に、第１しきい値で示される包絡線情報の誤りを検出する値を大きくする構成とした。
【００２８】
この構成により、カウント値が第２しきい値を越えたことを示す場合、第１しきい値で示される包絡線情報の誤りを検出する値が大きくされるので、第１及び第２エラーパルス発生領域に存在する正しい信号がカウントされる比率が減少し、これによって、現在のエラーパルス数が多くて不適正となっているカウント値が適正値となる。
【００２９】
また、請求項９記載の回線品質推定装置は、請求項２記載の回線品質推定装置において、１シンボル遅延検波信号が第１エラーパルス発生領域よりも狭い第３エラーパルス発生領域に一致した際に第４エラーパルスを出力する第３一致検出手段と、第３エラーパルスと前記第４エラーパルスとの論理和演算を行い、この結果得られるエラーパルスをカウント手段へ出力する論理和手段と、を具備する構成とした。
【００３０】
この構成により、１シンボル遅延検波信号において、エラーパルス発生領域を大小２種類設定され、小さい方のエラーパルス発生領域にも１シンボル遅延検波信号が存在する場合に、エラーパルスが発生されることにより、各バースト間のエラーパルスカウント数のバラツキを更に低減することができ、これによって、更に高精度な回線品質推定を行うことができる。
【００３１】
また、請求項１０記載の回線品質推定装置は、請求項９記載の回線品質推定装置において、２シンボル遅延検波信号が第２エラーパルス発生領域よりも狭い第４エラーパルス発生領域に一致した際に第５エラーパルスを出力する第４一致検出手段を備え、前記論理和手段が、第３及び第４エラーパルスと前記第５エラーパルスとの論理和演算を行い、この結果得られるエラーパルスをカウント手段へ出力する構成とした。
【００３２】
この構成により、２シンボル遅延検波信号においても、エラーパルス発生領域が大小２種類設定され、小さい方のエラーパルス発生領域にも２シンボル遅延検波信号が存在する場合は、エラーパルスを発生させることにより、各バースト間のエラーパルスカウント数のバラツキを更に低減することができ、これによって、更に高精度な回線品質推定を行うことができる。
【００３３】
また、請求項１１記載の回線品質推定装置は、請求項１０記載の回線品質推定装置において、絶対値検出手段で検出された包絡線情報と包絡線の基準値との差の絶対値が、前記包絡線情報の誤りを検出するための第１しきい値よりも小さい第３しきい値を越えた際に包絡線情報が誤りであると判定し、この判定に対応するレベル信号を出力する第３判定手段を備え、論理和手段が、第３〜第５エラーパルスと前記レベル信号との論理和演算を行い、この結果得られるエラーパルスをカウント手段へ出力する構成とした。
【００３４】
この構成により、包絡線情報の誤りを検出するためのしきい値が大小２種類設定され、小さい方のしきい値で包絡線情報の誤りが判定された場合に、エラーパルスが発生されることにより、各バースト間のエラーパルスカウント数のバラツキを更に低減することができ、これによって、更に高精度な回線品質推定を行うことができる。
【００３５】
また、請求項１２記載の回線品質推定装置は、請求項１乃至請求項１１のいずれかに記載の回線品質推定装置において、第１記憶手段に代え、Ｉｃｈ及びＱｃｈベースバンド信号の絶対値を検出するＩｃｈ及びＱｃｈ絶対値検出手段と、前記Ｉｃｈ及びＱｃｈベースバンド信号の象限を判定する象限判定手段と、前記判定により求められた象限に応じて、前記検出されたＩｃｈ及びＱｃｈ絶対値信号を位相情報に変換する変換手段とを備えて構成される位相情報生成手段、を具備する構成とした。
【００３６】
この構成により、回線品質推定装置に入力されるＩｃｈ及びＱｃｈベースバンド信号から位相情報を生成する位相情報生成手段を、第１記憶手段を用いず簡単な回路で構成することができるので、回線品質推定装置の回路規模の削減、低消費電力化を図ることができる。
【００３７】
また、請求項１３記載の回線品質推定装置は、請求項２乃至請求項１２のいずれかに記載の回線品質推定装置において、第２記憶手段に代え、Ｉｃｈ及びＱｃｈベースバンド信号の絶対値を比較し、大きい方の信号を示す大小比較結果信号を出力する大小比較手段と、前記大小比較結果信号をＭ及びＮビットシフトするシフト手段と、前記Ｍ及びＮビットシフトされた信号を加算する第１加算手段と、この第１加算手段の加算結果と前記大小比較結果信号とを加算して包絡線情報を得る第２加算手段とを備えて構成される包絡線情報生成手段、を具備する構成とした。
【００３８】
この構成により、回線品質推定装置に入力されるＩｃｈ及びＱｃｈベースバンド信号から包絡線情報を生成する包絡線情報生成手段を、第２記憶手段を用いず簡単な回路で構成することができるので、回線品質推定装置の回路規模の削減、低消費電力化を図ることができる。
【００３９】
また、請求項１４記載の基地局装置は、請求項１乃至請求項１３のいずれかに記載の回線品質推定装置を用いた構成とした。
【００４０】
この構成により、基地局装置において、請求項１乃至請求項１３のいずれかに記載の作用効果が得られる。
【００４１】
また、請求項１５記載の移動局装置は、請求項１乃至請求項１３のいずれかに記載の回線品質推定装置を用いた構成とした。
【００４２】
この構成により、移動局装置において、請求項１乃至請求項１３のいずれかに記載の作用効果が得られる。
【００４３】
また、請求項１６記載の移動体通信システムは、請求項１乃至請求項１３のいずれかに記載の回線品質推定装置を、基地局装置又は移動局装置に用いた構成とした。
【００４４】
この構成により、移動体通信システムにおける基地局装置又は移動局装置において、請求項１乃至請求項１３のいずれかに記載の作用効果が得られる。
【００４５】
また、請出力求項１７記載の回線品質推定方法は、Ｉｃｈ及びＱｃｈベースバンド信号の位相情報を１及び２シンボル周期遅延させた後に現時点の位相情報から減算して求めた１及び２シンボル遅延検波信号が第１及び第２エラーパルス発生領域に一致した際に双方のエラーパルスを検出し、前記双方のエラーパルスの論理積演算結果に応じて前記Ｉｃｈ及びＱｃｈベースバンド信号の誤りを示すエラーパルスをカウントするようにした。
【００４６】
この方法により、Ｉｃｈ及びＱｃｈベースバンド信号のエラーパルス発生領域に存在する正しい信号がカウントされる比率が減少するので、エラーパルスの最大カウント数と最小カウント数との差である各バースト間のエラーパルスカウント数のバラツキを低減することができ、これによって、高精度な回線品質推定を行うことができる。
【００４７】
また、請求項１８記載の回線品質推定方法は、Ｉｃｈ及びＱｃｈベースバンド信号の位相情報を記憶し、この記憶された位相情報を１シンボル周期遅延させた後に現時点の位相情報から減算して求めた１シンボル遅延検波信号が第１エラーパルス発生領域に一致した際に第１エラーパルスを検出し、前記記憶された位相情報を２シンボル周期遅延させた後に現時点の位相情報から減算して求めた２シンボル遅延検波信号が第２エラーパルス発生領域に一致した際に第２エラーパルスを検出し、前記第１及び第２エラーパルスの論理積演算を行って得た前記Ｉｃｈ及びＱｃｈベースバンド信号の誤りを示す第３エラーパルスを、カウントするようにした。
【００４８】
この方法により、Ｉｃｈ及びＱｃｈベースバンド信号のエラーパルスの検出領域に存在する正しい信号がカウントされる比率が減少するので、エラーパルスの最大カウント数と最小カウント数との差である各バースト間のエラーパルスカウント数のバラツキを低減することができ、これによって、高精度な回線品質推定を行うことができる。
【００４９】
また、請求項１９記載の回線品質推定方法は、請求項１８記載の回線品質推定方法において、Ｉｃｈ及びＱｃｈベースバンド信号の包絡線情報を記憶し、この記憶された包絡線情報と包絡線の基準値との差の絶対値を検出し、この検出された絶対値が、前記包絡線情報の誤りを検出するための第１しきい値を越えた際に包絡線情報が誤りであると判定し、この第１の判定結果を第１及び第２エラーパルスに含めた論理積演算を行って得た第３エラーパルスをカウントするようにした。
【００５０】
この方法により、Ｉｃｈ及びＱｃｈベースバンド信号のエラーパルスの検出領域に存在する正しい信号がカウントされる比率が減少するので、各バースト間のエラーパルスカウント数のバラツキを更に低減することができ、これによって、より高精度な回線品質推定を行うことができる。
【００５１】
また、請求項２０記載の回線品質推定方法は、請求項１８又は請求項１９記載の回線品質推定方法において、カウント手段のエラーパルス数を示すカウント値と、エラーパルス数のバラツキを適正値に押さえるための第２しきい値との差から、前記カウント値が前記第２しきい値を越えたか否かを判定し、この第２の判定結果に応じて、前記カウント値が適正値となるように第１エラーパルス発生領域を可変するようにした。
【００５２】
この方法により、各バースト間のエラーパルスカウント数のバラツキを更に低減することができ、より高精度な回線品質推定を行うことができる。
【００５３】
また、請求項２１記載の回線品質推定方法は、請求項２０記載の回線品質推定方法において、第２の判定結果が、カウント値が第２しきい値を越えたことを示す場合に、第１エラーパルス発生領域を狭くするようにした。
【００５４】
この方法により、カウント値が第２しきい値を越えたことを示す場合、第１エラーパルス発生領域に存在する正しい信号がカウントされる比率が減少するので、現在のエラーパルス数が多くて不適正となっているカウント値が適正値となる。
【００５５】
また、請求項２２記載の回線品質推定方法は、請求項１９乃至請求項２１のいずれかに記載の回線品質推定方法において、第２の判定結果に応じて、前記カウント値が適正値となるように第２エラーパルス発生領域を可変するようにした。
【００５６】
この方法により、各バースト間のエラーパルスカウント数のバラツキを更に低減することができ、これによって、より高精度な回線品質推定を行うことができる。
【００５７】
また、請求項２３記載の回線品質推定方法は、請求項２２記載の回線品質推定方法において、第２の判定結果が、カウント値が第２しきい値を越えたことを示す場合に、第２エラーパルス発生領域を狭くするようにした。
【００５８】
この方法により、カウント値が第２しきい値を越えたことを示す場合、第２エラーパルス発生領域に存在する正しい信号がカウントされる比率が減少するので、現在のエラーパルス数が多くて不適正となっているカウント値が適正値となる。
【００５９】
また、請求項２４記載の回線品質推定方法は、請求項１９乃至請求項２３のいずれかに記載の回線品質推定方法において、第２の判定結果に応じて、カウント値が適正値となるように、包絡線情報の誤りを判定するために用いる第１しきい値を可変するようにした。
【００６０】
この方法により、包絡線情報の誤りを検出するための第１しきい値が可変されるので、各バースト間のエラーパルスカウント数のバラツキを更に低減することができ、これによって、更に高精度な回線品質推定を行うことができる。
【００６１】
また、請求項２５記載の回線品質推定方法は、請求項２４記載の回線品質推定方法において、第２の判定結果が、カウント値が第２しきい値を越えたことを示す場合に、第１しきい値で示される包絡線情報の誤りを検出する値を大きくするようにした。
【００６２】
この方法により、カウント値が第２しきい値を越えたことを示す場合、第１しきい値で示される包絡線情報の誤りを検出する値が大きくされるので、第１及び第２エラーパルス発生領域に存在する正しい信号がカウントされる比率が減少し、これによって、現在のエラーパルス数が多くて不適正となっているカウント値が適正値となる。
【００６３】
また、請求項２６記載の回線品質推定方法は、請求項１９記載の回線品質推定方法において、１シンボル遅延検波信号が第１エラーパルス発生領域よりも狭い第３エラーパルス発生領域に一致した際に第４エラーパルスを出力し、前記第３エラーパルスと前記第４エラーパルスとの論理和演算を行い、この結果得られるエラーパルスをカウントするようにした。
【００６４】
この方法により、１シンボル遅延検波信号において、エラーパルス発生領域を大小２種類設定され、小さい方のエラーパルス発生領域にも１シンボル遅延検波信号が存在する場合に、エラーパルスが発生されることにより、各バースト間のエラーパルスカウント数のバラツキを更に低減することができ、これによって、更に高精度な回線品質推定を行うことができる。
【００６５】
また、請求項２７記載の回線品質推定方法は、請求項２６記載の回線品質推定方法において、２シンボル遅延検波信号が第２エラーパルス発生領域よりも狭い第４エラーパルス発生領域に一致した際に第５エラーパルスを出力し、第３及び第４エラーパルスと前記第５エラーパルスとの論理和演算を行い、この結果得られるエラーパルスをカウントするようにした。
【００６６】
この方法により、２シンボル遅延検波信号においても、エラーパルス発生領域が大小２種類設定され、小さい方のエラーパルス発生領域にも２シンボル遅延検波信号が存在する場合は、エラーパルスを発生させることにより、各バースト間のエラーパルスカウント数のバラツキを更に低減することができ、これによって、更に高精度な回線品質推定を行うことができる。
【００６７】
また、請求項２８記載の回線品質推定方法は、請求項２７記載の回線品質推定方法において、絶対値検出手段で検出された包絡線情報と包絡線の基準値との差の絶対値が、前記包絡線情報の誤りを検出するための第１しきい値よりも小さい第３しきい値を越えた際に包絡線情報が誤りであると判定し、この判定に対応するレベル信号と第３〜第５エラーパルスとの論理和演算を行い、この結果得られるエラーパルスをカウントするようにした。
【００６８】
この方法により、包絡線情報の誤りを検出するためのしきい値が大小２種類設定され、小さい方のしきい値で包絡線情報の誤りが判定された場合に、エラーパルスが発生されることにより、各バースト間のエラーパルスカウント数のバラツキを更に低減することができ、これによって、更に高精度な回線品質推定を行うことができる。
【００６９】
【発明の実施の形態】
以下、本発明の回線品質推定装置の実施の形態を図面を用いて具体的に説明する。
【００７０】
（実施の形態１）
図１は、本発明の実施の形態１に係る回線品質推定装置のブロック図を示す。但し、その回線品質推定装置は、ディジタル移動体通信システムにおける基地局装置又は移動局装置に適用されるものとする。
【００７１】
この実施の形態１の特徴は、１シンボル遅延検波信号と２シンボル遅延検波信号の双方を用いて回線品質推定を行うことにより、従来よりも高精度な回線品質推定を行うことができるように構成したものである。
【００７２】
図１に示す回線品質推定装置１００は、メモリ回路１０１と、遅延器１０２と、２遅延器１０３と、減算器１０４，１０５と、一致検出器１０６，１０７と、アンド回路１０９と、カウンタ１０９とを備えて構成されている。
【００７３】
このような構成において、メモリ回路１０１は、Ｉｃｈベースバンド信号１１０及びＱｃｈベースバンド信号１１１のアークタンジェント（ａｒｃｔａｎ）を計算することにより得られた位相情報を記憶し、この記憶された位相情報１１２を遅延器１０２、２遅延器１０３、及び減算器１０４，１０５へ出力する。
【００７４】
遅延器１０２は、位相情報１１２を１シンボル周期遅延し、この遅延位相情報１１３を減算器１０４へ出力する。減算器１０４は、現時点の位相情報１１２から１シンボル前の遅延位相情報１１３を減算することによって１シンボル遅延検波信号１１４を求め、この遅延検波信号１１４を一致検出器１０６へ出力する。
【００７５】
一致検出器１０６は、遅延検波信号１１４とエラーパルス発生領域を表すエラーパルス発生領域表示信号ＲＥＦ１とを比較し、双方が一致した場合にエラーパルス１１５を発生し、アンド回路１０８へ出力する。
【００７６】
２遅延器１０３は、位相情報１１２を２シンボル周期遅延し、この２遅延位相情報１１６を減算器１０５へ出力する。減算器１０５は、現時点の位相情報１１２から２シンボル前の２遅延位相情報１１６を減算することによって２シンボル遅延検波信号１１７を求め、この遅延検波信号１１７を一致検出器１０７へ出力する。
【００７７】
一致検出器１０７は、遅延検波信号１１７とエラーパルス発生領域表示信号ＲＥＦ２とを比較し、双方が一致した場合にエラーパルス１１８を発生し、アンド回路１０８へ出力する。
【００７８】
アンド回路１０８は、各エラーパルス１１５と１１８との論理積演算を行うことによって、１シンボル遅延検波信号１１４と２シンボル遅延検波信号１１７の双方を用いた場合のエラーパルス１１９を求め、このエラーパルス１１９をカウンタ１０９へ出力する。
【００７９】
カウンタ１０９は、エラーパルス１１９から、１バースト間においてエラーパルス数をカウントすることによって、エラーパルスのカウント値１２０を得る。
【００８０】
このように、実施の形態１によれば、１シンボル遅延検波信号１１４から求めたエラーパルス１１５と、２シンボル遅延検波信号１１７から求めたエラーパルス１１８とのアンドを取ることにより、実際にエラーパルスを検出する領域を制限するように構成した。
【００８１】
このように構成することによって、エラーパルスの検出領域に存在する正しい信号がカウントされる比率が減少するので、エラーパルスの最大カウント数と最小カウント数との差である各バースト間のエラーパルスカウント数のバラツキを低減することができ、これによって、従来よりも更に高精度な回線品質推定を行うことができる。
【００８２】
（実施の形態２）
図２は、本発明の実施の形態２に係る回線品質推定装置のブロック図を示す。但し、この図２に示す実施の形態２において図１の実施の形態１の各部に対応する部分には同一符号を付し、その説明を省略する。
【００８３】
この実施の形態２の特徴は、Ｉｃｈ及びＱｃｈベースバンド信号の包絡線信号も用いて回線品質推定を行うことにより、実施の形態１よりも更に高精度な回線品質推定を行うようにした点にある。
【００８４】
図２に示す実施の形態２が実施の形態１の構成と異なる点は、実施の形態１の構成要素に加え、メモリ回路２０１と、減算器２０２と、絶対値検出器２０３と、減算器２０４と、判定器２０５とを備え、２入力タイプのアンド回路１０８の代わりに３入力タイプのアンド回路２０６を備えて構成した点にある。
【００８５】
このような構成において、メモリ回路２０１は、Ｉｃｈ及びＱｃｈベースバンド信号１１０，１１１の各々の２乗値を加算した平方根を計算して得られた包絡線情報を記憶し、この記憶された包絡線情報２０７を減算器２０２へ出力する。減算器２０２は、包絡線情報２０７から包絡線情報の基準値２０８を減算し、双方の差を示す包絡線情報差信号２０９を絶対値検出器２０３へ出力する。
【００８６】
絶対値検出器２０３は、包絡線情報差信号２０９の絶対値を検出し、この絶対値２１０を減算器２０４へ出力する。減算器２０４は、絶対値２１０から、包絡線情報の誤りを検出するためのしきい値２１１を減算し、この減算結果を示す信号２１２を判定器２０５へ出力する。
【００８７】
判定器２０５は、その信号２１２から絶対値２１０がしきい値２１１を越えたか否かを判定し、この判定結果を示す信号２１３をアンド回路２０６へ出力する。
【００８８】
つまり、包絡線情報２０７と基準値２０８との差を示す絶対値２１０が、しきい値２１１を越えていれば、Ｉｃｈ及びＱｃｈベースバンド信号１１０，１１１の包絡線情報２０７が誤っていることを示す「Ｈ」レベルの判定結果データ２１３をアンド回路２０６へ出力し、越えていなければ、包絡線情報２０７が正しいことを示す「Ｌ」レベルの判定結果データ２１３をアンド回路２０６へ出力する。
【００８９】
アンド回路２０６では、その判定結果データ２１３が包絡線情報２０７が正しいことを示すものであれば「Ｌ」が入力されるので、この時、たとえ誤ってエラーパルス１１５，１１８が入力されても、「Ｌ」のエラーパルス２１４がカウンタ１０９へ出力されることになり、これによって、カウンタ１０９が受信信号が正しいにも係わらず、誤りを示すエラーパルスをカウントするといったことがなくなる。
【００９０】
このように、実施の形態２によれば、１シンボル遅延検波信号と２シンボル遅延検波信号に加えて、包絡線信号も回線品質推定に用いることにより、各バースト間のエラーパルスカウント数のバラツキを実施の形態１よりも更に低減することができ、これによって、実施の形態１より更に高精度な回線品質推定を行うことができる。
【００９１】
（実施の形態３）
図３は、本発明の実施の形態３に係る回線品質推定装置のブロック図を示す。但し、この図３に示す実施の形態３において図２の実施の形態２の各部に対応する部分には同一符号を付し、その説明を省略する。
【００９２】
この実施の形態３の特徴は、１シンボル遅延検波信号において、エラーパルス発生領域を可変とすることにより、実施の形態２よりも更に高精度な回線品質推定を行うことができるようにした点にある。
【００９３】
図３に示す実施の形態３が実施の形態２の構成と異なる点は、実施の形態２の構成要素に加え、減算器３０１と、判定器３０２と、選択スイッチ３０３とを備えて構成したことにある。
【００９４】
このような構成において、減算器３０１は、カウンタ１０９から出力されるエラーパルス数を示すカウント値１２０から、エラーパルス数のバラツキを適正値に押さえるためのしきい値３０４を減算し、この減算結果信号３０５を判定器３０２へ出力する。
【００９５】
判定器３０２は、減算結果信号３０５から、カウント値１２０がしきい値３０４を越えエラーパルス数が多いため不適正であるか、しきい値３０４以下でありエラーパルス数が適正であるかを判定し、この判定結果を示す制御信号３０６を選択スイッチ３０３へ出力する。
【００９６】
選択スイッチ３０３は、供給される制御信号３０６が、エラーパルス数が不適切であることを示す場合は、エラーパルス発生領域表示信号ＲＥＦ１よりもエラーパルス発生領域が狭いことを示すエラーパルス発生領域表示信号ＲＥＦ１ａを選択して一致検出器１０６へ出力する。一方、制御信号３０６が、エラーパルス数が適切であることを示す場合は、エラーパルス発生領域表示信号ＲＥＦ１を選択して一致検出器１０６へ出力する。
【００９７】
一致検出器１０６に、エラーパルス発生領域表示信号ＲＥＦ１ａが供給された場合は、エラーパルスの検出領域に存在する正しい信号がカウントされる比率が減少するので、現在のエラーパルス数が多くて不適正となっているカウント値１２０が適正値となる。
【００９８】
一方、エラーパルス発生領域表示信号ＲＥＦ１が供給された場合は、現在のエラーパルス数が適正であるので、信号ＲＥＦ１に応じて現状のまま１シンボル遅延検波信号１１４から検出したエラーパルス１１５をアンド回路２０６へ出力する。
【００９９】
このように、実施の形態３によれば、１シンボル遅延検波信号におけるエラーパルス発生領域を表わす信号を可変とすることにより、各バースト間のエラーパルスカウント数のバラツキを実施の形態２よりも更に低減することができ、これによって、実施の形態２よりも更に高精度な回線品質推定を行うことができる。
【０１００】
（実施の形態４）
図４は、本発明の実施の形態４に係る回線品質推定装置のブロック図を示す。但し、この図４に示す実施の形態４において図３の実施の形態３の各部に対応する部分には同一符号を付し、その説明を省略する。
【０１０１】
この実施の形態４の特徴は、１シンボル遅延検波信号に加え、２シンボル遅延検波信号においても、エラーパルス発生領域を可変とすることにより、実施の形態３よりも更に高精度な回線品質推定を行うことができるようにした点にある。
【０１０２】
図４に示す実施の形態４が実施の形態３の構成と異なる点は、実施の形態３の構成要素に加え、選択スイッチ４０１を備えて構成したことにある。
【０１０３】
このような構成において、選択スイッチ４０１は、供給される制御信号３０６が、エラーパルス数が不適切であることを示す場合は、エラーパルス発生領域表示信号ＲＥＦ２よりもエラーパルス発生領域が狭いことを示すエラーパルス発生領域表示信号ＲＥＦ２ａを選択して一致検出器１０７へ出力する。一方、制御信号３０６が、エラーパルス数が適切であることを示す場合は、エラーパルス発生領域表示信号ＲＥＦ２ａを選択して一致検出器１０７へ出力する。
【０１０４】
一致検出器１０７に、エラーパルス発生領域表示信号ＲＥＦ７ａが供給された場合は、エラーパルスの検出領域に存在する正しい信号がカウントされる比率が減少するので、現在のエラーパルス数が多くて不適正となっているカウント値１２０が適正値となる。
【０１０５】
一方、エラーパルス発生領域表示信号ＲＥＦ２が供給された場合は、現在のエラーパルス数が適正であるので、信号ＲＥＦ２に応じて現状のまま２シンボル遅延検波信号１１７から検出したエラーパルス１１８をアンド回路２０６へ出力する。
【０１０６】
このように、実施の形態４によれば、１シンボル遅延検波信号に加え、２シンボル遅延検波信号おけるエラーパルス発生領域を表わす信号を可変とすることにより、各バースト間のエラーパルスカウント数のバラツキを実施の形態３よりも更に低減することができ、これによって、実施の形態３よりも更に高精度な回線品質推定を行うことができる。
【０１０７】
（実施の形態５）
図５は、本発明の実施の形態５に係る回線品質推定装置のブロック図を示す。但し、この図５に示す実施の形態５において図４の実施の形態４の各部に対応する部分には同一符号を付し、その説明を省略する。
【０１０８】
この実施の形態５の特徴は、１シンボル遅延検波信号及び２シンボル遅延検波信号におけるエラーパルス発生領域を表わす信号を可変とすることに加え、包絡線情報の誤りを検出するためのしきい値を可変とすることにより、実施の形態４よりも更に高精度な回線品質推定を行うことができるようにした点にある。
【０１０９】
図５に示す実施の形態５が実施の形態４の構成と異なる点は、実施の形態４の構成要素に加え、選択スイッチ５０１を備えて構成したことにある。
【０１１０】
このような構成において、選択スイッチ５０１は、供給される制御信号３０６が、エラーパルス数が不適切であることを示す場合は、包絡線情報の誤りを検出するためのしきい値２１１よりも更に大きいしきい値５０２を選択して減算器２０４へ出力する。つまり、各しきい値は、２１１＜５０２の関係である。
【０１１１】
これによって、減算器２０４は、包絡線情報２０７と包絡線情報の基準値２０８との差の絶対値２１０からしきい値５０２を減算し、この減算結果を示す信号２１２を判定器２０５へ出力する。
【０１１２】
判定器２０５は、その信号２１２から絶対値２１０がしきい値５０２を越えたか否かを判定し、この判定結果を示す信号２１３をアンド回路２０６へ出力する。
【０１１３】
つまり、しきい値５０２を大きくしただけ、包絡線情報２０７の誤りを示す絶対値２１０が大きくても、判定器２０５は、その絶対値２１０を正しいと判定して、包絡線情報２０７が正しいことを示す「Ｌ」レベルの判定結果データ２１３をアンド回路２０６へ出力するので、その分、エラーパルスの通過帯域が狭められる。
【０１１４】
これによって、エラーパルスの通過帯域に存在する正しい信号がカウントされる比率が減少するので、現在のエラーパルス数が多くて不適正となっているカウント値１２０が適正値となる。
【０１１５】
このように、実施の形態５によれば、１シンボル遅延検波信号及び２シンボル遅延検波信号におけるエラーパルス発生領域を表わす信号を可変とすることに加え、包絡線情報の誤りを検出するためのしきい値を可変とすることにより、各バースト間のエラーパルスカウント数のバラツキを実施の形態３よりも更に低減することができ、これによって、実施の形態４よりも更に高精度な回線品質推定を行うことができる。
【０１１６】
（実施の形態６）
図６は、本発明の実施の形態６に係る回線品質推定装置のブロック図を示す。但し、この図６に示す実施の形態６において図２の実施の形態２の各部に対応する部分には同一符号を付し、その説明を省略する。
【０１１７】
この実施の形態６の特徴は、１シンボル遅延検波信号において、エラーパルス発生領域を大小２種類設定し、小さい方のエラーパルス発生領域にも１シンボル遅延検波信号が存在する場合は、エラーパルスを発生させることにより、実施の形態２よりも更に高精度な回線品質推定を行うことができるようにした点にある。
【０１１８】
図６に示す実施の形態６が実施の形態２の構成と異なる点は、実施の形態２の構成要素に加え、一致検出器６０１及びオア回路６０２を備えて構成したことにある。
【０１１９】
このような構成において、一致検出器６０１には、１シンボル遅延検波信号１１４と、エラーパルス発生領域表示信号ＲＥＦ１よりもエラーパルス発生領域が狭いことを示すエラーパルス発生領域表示信号ＲＥＦ１ｂが供給されるようになっている。
【０１２０】
そして、一致検出器６０１は、１シンボル遅延検波信号１１４とエラーパルス発生領域表示信号ＲＥＦ１ｂとを比較し、双方が一致した場合にエラーパルス６０３を発生し、オア回路６０２へ出力する。
【０１２１】
オア回路６０２は、そのエラーパルス６０３と、アンド回路２０６から出力されるエラーパルス２１４との論理和演算を行い、この結果得られるエラーパルス６０４をカウンタ１０９へ出力する。
【０１２２】
つまり、一致検出器６０１で検出されるエラーパルス６０３は、狭いエラーパルス発生領域を通過しなければならないが、判定器２０５での判定結果に応じて１シンボル遅延検波信号１１４のエラーパルス１１５を通過させるアンド回路２０６に関係なく、オア回路６０２を介してカウンタ１０９へ出力されるので、１シンボル遅延検波信号１１４の判定誤差が大きい場合にも、１シンボル遅延検波信号１１４に応じたエラーパルス６０３をオア回路６０２を介してカウンタ１０９へ出力し、カウントすることができる。
【０１２３】
例えば、判定器２０５で包絡線情報が正しいと判定されている場合は、アンド回路２０６をエラーは通過しないように制御され、この場合、エラーのカウントは行われない。
【０１２４】
しかし、その判定が誤りであり、１シンボル遅延検波信号１１４にエラーが含まれているとすれば、正しいカウントが行われていないことになり、カウント値１２０にバラツキが生じることになる。
【０１２５】
そこで、上記したように別の経路で１シンボル遅延検波信号１１４のエラーを検出してカウントするようにすれば、先のように判定が誤っている場合でも１シンボル遅延検波信号１１４のエラーをカウントすることができるので、カウント値１２０のバラツキを低減させることができる。
【０１２６】
このように、実施の形態６によれば、１シンボル遅延検波信号において、エラーパルス発生領域を大小２種類設定し、小さい方のエラーパルス発生領域にも１シンボル遅延検波信号が存在する場合は、エラーパルスを発生させることにより、各バースト間のエラーパルスカウント数のバラツキを実施の形態２よりも更に低減することができ、これによって、実施の形態２よりも更に高精度な回線品質推定を行うことができる。
【０１２７】
（実施の形態７）
図７は、本発明の実施の形態７に係る回線品質推定装置のブロック図を示す。但し、この図７に示す実施の形態７において図６の実施の形態６の各部に対応する部分には同一符号を付し、その説明を省略する。
【０１２８】
この実施の形態７の特徴は、１シンボル遅延検波信号に加え、２シンボル遅延検波信号においても、エラーパルス発生領域を大小２種類設定し、小さい方のエラーパルス発生領域にも２シンボル遅延検波信号が存在する場合は、エラーパルスを発生させることにより、実施の形態６よりも更に高精度な回線品質推定を行うことができるようにした点にある。
【０１２９】
図７に示す実施の形態７が実施の形態６の構成と異なる点は、実施の形態６の構成要素に加え、一致検出器７０１を備え、２入力タイプのオア回路６０２の代わりに３入力タイプのオア回路７０２を備えて構成した点にある。
【０１３０】
このような構成において、一致検出器７０１には、２シンボル遅延検波信号１１７と、エラーパルス発生領域表示信号ＲＥＦ２よりもエラーパルス発生領域が狭いことを示すエラーパルス発生領域表示信号ＲＥＦ２ｂが供給されるようになっている。
【０１３１】
そして、一致検出器７０１は、２シンボル遅延検波信号１１７とエラーパルス発生領域表示信号ＲＥＦ２ｂとを比較し、双方が一致した場合にエラーパルス７０３を発生し、オア回路７０２へ出力する。
【０１３２】
オア回路７０２は、そのエラーパルス７０３及び一致検出器７０１から出力されるエラーパルス６０３と、アンド回路２０６から出力されるエラーパルス２１４との論理和演算を行い、この結果得られるエラーパルス７０４をカウンタ１０９へ出力する。
【０１３３】
つまり、一致検出器７０１で検出されるエラーパルス７０３は、狭いエラーパルス発生領域を通過しなければならないが、判定器２０５での判定結果に応じて１シンボル遅延検波信号１１４のエラーパルス１１５を通過させるアンド回路２０６に関係なく、オア回路７０２を介してカウンタ１０９へ出力されるので、２シンボル遅延検波信号１１７の判定誤差が大きい場合にも、２シンボル遅延検波信号１１７に応じたエラーパルス７０３をオア回路７０２を介してカウンタ１０９へ出力し、カウントすることができる。
【０１３４】
例えば、判定器２０５で包絡線情報が正しいと判定されている場合は、アンド回路２０６をエラーは通過しないように制御され、この場合、エラーのカウントは行われない。
【０１３５】
しかし、その判定が誤りであり、２シンボル遅延検波信号１１７にエラーが含まれているとすれば、正しいカウントが行われていないことになり、カウント値１２０にバラツキが生じることになる。
【０１３６】
そこで、上記したように別の経路で２シンボル遅延検波信号１１７のエラーを検出してカウントするようにすれば、先のように判定が誤っている場合でも２シンボル遅延検波信号１１７のエラーをカウントすることができるので、カウント値１２０のバラツキを低減させることができる。
【０１３７】
このように、実施の形態７によれば、１シンボル遅延検波信号に加え、２シンボル遅延検波信号においても、エラーパルス発生領域を大小２種類設定し、小さい方のエラーパルス発生領域にも１シンボル遅延検波信号が存在する場合は、エラーパルスを発生させることにより、各バースト間のエラーパルスカウント数のバラツキを実施の形態６よりも更に低減することができ、これによって、実施の形態６よりも更に高精度な回線品質推定を行うことができる。
【０１３８】
（実施の形態８）
図８は、本発明の実施の形態８に係る回線品質推定装置のブロック図を示す。但し、この図８に示す実施の形態８において図７の実施の形態７の各部に対応する部分には同一符号を付し、その説明を省略する。
【０１３９】
この実施の形態８の特徴は、１及び２シンボル遅延検波信号におけるエラーパルス発生領域を表わす信号を可変とすることに加え、包絡線情報の誤りを検出するためのしきい値を大小２種類設定し、小さい方のしきい値で包絡線情報の誤りが判定された場合は、エラーパルスを発生させることにより、実施の形態７よりも更に高精度な回線品質推定を行うことができるようにした点にある。
【０１４０】
図８に示す実施の形態８が実施の形態７の構成と異なる点は、実施の形態７の構成要素に加え、減算器８０１及び判定器８０２を備え、３入力タイプのオア回路７０２の代わりに４入力タイプのオア回路８０３を備えて構成した点にある。
【０１４１】
減算器８０１は、絶対値検出器２０３から出力される包絡線情報２０７と基準値２０８との差を示す絶対値２１０から、包絡線情報の誤りを検出するためのしきい値８０４を減算し、この減算結果を示す信号８０５を判定器８０２へ出力する。但し、しきい値８０４は、しきい値２１１よりも小さい値である。
【０１４２】
判定器８０２は、その信号８０５から絶対値２１０がしきい値８０４を越えたか否かを判定し、この判定結果を示す信号８０６をオア回路８０３へ出力する。
【０１４３】
つまり、包絡線情報２０７と基準値２０８との差を示す絶対値２１０が、しきい値８０４を越えていれば、Ｉｃｈ及びＱｃｈベースバンド信号１１０，１１１の包絡線情報２０７が誤っていることを示す「Ｈ」レベルの判定結果データ８０６をオア回路８０３へ出力し、越えていなければ、包絡線情報２０７が正しいことを示す「Ｌ」レベルの判定結果データ８０６をオア回路８０３へ出力する。
【０１４４】
従って、絶対値２１０がしきい値２１１を越えていなくても、しきい値８０４を越えていれば包絡線情報２０７が誤っていると判定され、オア回路８０３からカウンタ１０９へエラーパルス８０７が出力されることになる。
【０１４５】
このように、実施の形態８によれば、１及び２シンボル遅延検波信号におけるエラーパルス発生領域を表わす信号を可変とすることに加え、包絡線情報の誤りを検出するためのしきい値を大小２種類設定し、小さい方のしきい値で包絡線情報の誤りが判定された場合は、エラーパルスを発生させることにより、各バースト間のエラーパルスカウント数のバラツキを実施の形態７よりも更に低減することができ、これによって、実施の形態７よりも更に高精度な回線品質推定を行うことができる。
【０１４６】
（実施の形態９）
図９は、本発明の実施の形態９に係る回線品質推定装置に用いられる位相情報生成器のブロック図を示す。
【０１４７】
この図９に示す位相情報生成器は、図１〜図８に示したメモリ回路１０１の代わりに用いられるものであり、Ｉｃｈ絶対値検出回路９０１と、Ｑｃｈ絶対値検出回路９０２と、減算器９０３と、変換器９０４と、象限判定器９０５とを備えて構成されている。
【０１４８】
まず、Ｉｃｈ及びＱｃｈベースバンド信号１１０，１１１の位相θ＝ａｒｃｔａｎ（Ｑ／Ｉ）と｜Ｉ｜−｜Ｑ｜とにおいては、次式（１）に示す近似が成り立つ。
【０１４９】
0003547991.tif 000002
また、Ｉｃｈ及びＱｃｈベースバンド信号１１０，１１１の位相θ＝ａｒｃｔａｎ（Ｑ／Ｉ）と｜Ｉ｜−｜Ｑ｜との関係を図１０に示す。位相θは、上式（１）に示す近似を行うことによって、１．８度以内の誤差で生成可能である。
【０１５０】
Ｉｃｈ及びＱｃｈベースバンド信号１１０，１１１は、各々、Ｉｃｈ絶対値検出回路９０１及びＱｃｈ絶対値検出回路９０２により絶対値検出され、この検出信号９０６と９０７とが減算器９０３で減算され、この減算により得られた差分信号９０８が変換器９０４へ出力される。
【０１５１】
また、Ｉｃｈ及びＱｃｈベースバンド信号１１０，１１１は、象限判定器９０５によって、その象限が判定され、この判定により得られた象限表示信号９０９が変換器９０４へ出力される。そして、変換器９０４において、象限表示信号９０９に応じて差分信号９０８が位相変換されることによって、位相情報１１２が得られる。
【０１５２】
このように、実施の形態９によれば、回線品質推定装置に入力されるＩｃｈ及びＱｃｈベースバンド信号１１０，１１１から位相情報１１２を生成する位相情報生成器を、乗算器及びメモリによるメモリ回路１０１を用いずに構成することができるので、実施の形態１〜８の回線品質推定装置の回路規模の削減、低消費電力化を図ることができる。
【０１５３】
（実施の形態１０）
図１１は、本発明の実施の形態１０に係る回線品質推定装置に用いられる位相情報生成器のブロック図を示す。
【０１５４】
この図１１に示す位相情報生成器は、図２〜図８に示したメモリ回路２０１の代わりに用いられるものであり、大小比較器１１０１と、２ビットシフト器１１０２と、３ビットシフト器１１０３と、加算器１１０４，１１０５とを備えて構成されている。
【０１５５】
まず、Ｉｃｈ及びＱｃｈベースバンド信号１１０，１１１の位相と包絡線情報Ｚにおいては、次式（２）に示す近似が成り立つ。
【０１５６】
｜Ｉ｜＞｜Ｑ｜の場合
Ｚ＝｜Ｉ｜＋０．３７５×｜Ｑ｜
｜Ｑ｜＞｜Ｉ｜の場合
Ｚ＝｜Ｑ｜＋０．３７５×｜Ｉ｜
但し、０．３７５は、ビットシフトを実現可能とする係数である。即ち、０．３７５の乗算はビットシフトで実現可能である。
【０１５７】
また、Ｉｃｈ及びＱｃｈベースバンド信号１１０，１１１位相θと包絡線情報Ｚの関係を図１２に示す。Ｚは上式（２）に示す近似を行うことによって、７％以内の誤差で生成可能である。
【０１５８】
Ｉｃｈ及びＱｃｈベースバンド信号１１０，１１１は、大小比較器１１０１によって、その大小が比較されることにより、｜Ｉ｜＞｜Ｑ｜の場合は｜Ｉ｜を示し、｜Ｑ｜＞｜Ｉ｜の場合は｜Ｑ｜を示す大小比較結果信号１１０６が得られ、加算器１１０５と、２ビットシフト器１１０２及び３ビットシフト器１１０３へ出力される。
【０１５９】
２ビットシフト器１１０２及び３ビットシフト器１１０３では、各々、２ビットシフト、３ビットシフトされ、これらシフトされた信号１１０７，１１０８が加算器１１０４で加算され、この加算信号１１０９と大小比較結果信号１１０６とが、加算器１１０５で加算されることによって、包絡線情報２０７が得られる。
【０１６０】
このように、実施の形態１０によれば、回線品質推定装置に入力されるＩｃｈ及びＱｃｈベースバンド信号１１０，１１１から包絡線情報２０７を生成する包絡線情報生成器を、乗算器及びメモリによるメモリ回路２０１を用いずに構成することができるので、実施の形態２〜８の回線品質推定装置の回路規模の削減、低消費電力化を図ることができる。
【０１６１】
【発明の効果】
以上の説明から明らかなように、本発明によれば、Ｉｃｈ及びＱｃｈベースバンド信号のエラーパルスの検出領域に存在する正しい信号がカウントされる比率が減少するので、エラーパルスの最大カウント数と最小カウント数との差である各バースト間のエラーパルスカウント数のバラツキを低減することができ、これによって、高精度な回線品質推定を行うことができる。
【図面の簡単な説明】
【図１】本発明の実施の形態１に係る回線品質推定装置のブロック図
【図２】本発明の実施の形態２に係る回線品質推定装置のブロック図
【図３】本発明の実施の形態３に係る回線品質推定装置のブロック図
【図４】本発明の実施の形態４に係る回線品質推定装置のブロック図
【図５】本発明の実施の形態５に係る回線品質推定装置のブロック図
【図６】本発明の実施の形態６に係る回線品質推定装置のブロック図
【図７】本発明の実施の形態７に係る回線品質推定装置のブロック図
【図８】本発明の実施の形態８に係る回線品質推定装置のブロック図
【図９】本発明の実施の形態９に係る回線品質推定装置に用いられる位相情報生成器のブロック図
【図１０】実施の形態９における位相情報生成器の理論計算結果図
【図１１】本発明の実施の形態１０に係る回線品質推定装置に用いられる包絡線情報生成器のブロック図
【図１２】実施の形態１０における包絡線情報生成器の理論計算結果図
【図１３】従来の回線品質推定装置のブロック図
【符号の説明】
１０１，２０１  メモリ回路
１０６，１０７，６０１，７０１  一致検出器
１０８，２０６  アンド回路
１０９  カウンタ
２０３  絶対値検出器
２０５，３０２，８０２  判定器
３０３，４０１，５０１  選択スイッチ
６０２，７０２，８０３  オア回路
９０１  Ｉｃｈ絶対値検出回路
９０２  Ｑｃｈ絶対値検出回路
９０４  変換器
９０５  象限判定器
１１０１  大小比較器
１１０２  ２ビットシフト器
１１０３  ３ビットシフト器
１１０４，１１０５  加算器
【図１】
0003547991.tif 000003
【図２】
0003547991.tif 000004
【図３】
0003547991.tif 000005
【図４】
0003547991.tif 000006
【図５】
0003547991.tif 000007
【図６】
0003547991.tif 000008
【図７】
0003547991.tif 000009
【図８】
0003547991.tif 000010
【図９】
0003547991.tif 000011
【図１０】
0003547991.tif 000012
【図１１】
0003547991.tif 000013
【図１２】
0003547991.tif 000014
【図１３】
0003547991.tif 000015